【手続補正書】
【提出日】平成17年1月21日(2005.1.21)
【手続補正１】
【補正対象書類名】明細書
【補正対象項目名】特許請求の範囲
【補正方法】変更
【補正の内容】
【特許請求の範囲】
【請求項１】
製紙機械の成形部分において使用される、調整可能な弾性ブレード装着体であって、
前面、後面、第一端部及び第二端部を有する基盤部材と、
第一端部と第二端部を有し、該第一端部が前記基盤部材の前記第一端部に取り付けられている第一の可撓性部材と、
前記基盤部材の前記第二端部と前記第一の可撓性部材の前記第二端部との間に設けられた第一の可撓性ホース部材と、
第一端部と第二端部を有し、該第一端部は前記基盤部材の前記第一端部と向かい合い、該第二端部は、前記基盤部材の前記第二端と向かい合い且つ前記第一の可撓性部材の前記第二端部に取り付けられている第２の可撓性部材と、
前記第一の可撓性部材の前記第一端部と前記第二の可撓性部材の前記第一端部との間に設けられている第二の可撓性ホース部材と、
を備えていることを特徴とする調整可能な弾性ブレード装着体。
【請求項２】
請求項１に記載の調整可能な弾性ブレード装着体であって、
前記基盤部材の前記第一端部は、前記基盤部材の前面側である、
ことを特徴とする調整可能な弾性ブレード装着体。
【請求項３】
請求項１に記載の調整可能な弾性ブレード装着体であって、
前記基盤部材の前記第一端部は、前記基盤部材の前記後面側である、
ことを特徴とする調整可能な弾性ブレード装着体。
【請求項４】
請求項１に記載の調整可能な弾性ブレード装着体であって、
前記第二の可撓性ホース部材に隣接して設けられ、前記第一および前記第二の可撓性部材の各第一端部の間に位置する第一の蓋を備える、
ことを特徴とする調整可能な弾性ブレード装着体。
【請求項５】
請求項１に記載の調整可能な弾性ブレード装着体であって、
前記第一の可撓性ホース部材に隣接して設けられ、前記基盤部材および前記第一の可撓性部材の各第二端部の間に位置する第二の蓋を備える、
ことを特徴とする調整可能な弾性ブレード装着体。
【請求項６】
請求項１に記載の調整可能な弾性ブレード装着体であって、
前記第二の可撓性ホース部材に隣接して設けられ、前記第一および前記第二の可撓性部材の各第一端部の間に位置する第一の蓋と、前記第一の可撓性ホース部材に隣接して設けられ、前記基盤部材と前記第一の可撓性部材の各第二端部の間に位置する第二の蓋と、を備える、
ことを特徴とする調整可能な弾性ブレード装着体。
【請求項７】
請求項４及び６のいずれか一項に記載の調整可能な弾性ブレード装着体であって、
前記第一の蓋は、前記第一の可撓性部材に取り付けられるか、または、その一部として製造されている、
ことを特徴とする調整可能な弾性ブレード装着体。
【請求項８】
請求項５及び６のいずれか一項に記載の調整可能な弾性ブレード装着体であって、
前記第二の蓋は、前記基板部材に取り付けられるか、または、その一部として製造されている、
ことを特徴とする調整可能な弾性ブレード装着体。
【請求項９】
請求項１に記載の調整可能な弾性ブレード装着体であって、
前記第二の蓋は、前記第一の可撓性部材に取り付けられるか、またはその一部として製造されている、
ことを特徴とする調整可能な弾性ブレード装着体。
【請求項１０】
請求項１に記載の調整可能な弾性ブレード装着体であって、
前記基盤部材、前記第一と第二の可撓性部材は、一体的な構成として製造されている、
ことを特徴とする調整可能な弾性ブレード装着体。
【請求項１１】
請求項６に記載の調整可能な弾性ブレード装着体であって、
前記基盤部材、前記第一と第二の可撓性部材、および前記第一と第二の蓋は、一体的な構成として製造されている、
ことを特徴とする調整可能な弾性ブレード装着体。
【請求項１２】
請求項１に記載の調整可能な弾性ブレード装着体であって、
前記第一の可撓性部材の前記第二端部と前記基盤部材の前記第二端部との間の隙間を塞ぐ可撓性シールを備える、
ことを特徴とする調整可能な弾性ブレード装着体。
【請求項１３】
請求項１に記載の調整可能な弾性ブレード装着体であって、
前記第二の可撓性部材の前記第一端部と前記基盤部材の前記第一端部との間の隙間を塞ぐ可撓性シールを備える、
ことを特徴とする調整可能な弾性ブレード装着体。
【請求項１４】
請求項４及び６のいずれか一項に記載の調整可能な弾性ブレード装着体であって、
前記第一の蓋の端部と前記基盤部材の第一端部との間の隙間を塞ぐ可撓性シールを備える、
ことを特徴とする調整可能な弾性ブレード装着体。
【請求項１５】
請求項５及び６のいずれか一項に記載の調整可能な弾性ブレード装着体であって、
前記第二の蓋の端部と前記基盤部材の第二端部との間の隙間を塞ぐ可撓性シールを備える、
ことを特徴とする調整可能な弾性ブレード装着体。
【手続補正２】
【補正対象書類名】明細書
【補正対象項目名】０００６
【補正方法】変更
【補正の内容】
【０００６】
第一の広義の実施例において、本発明は製紙機械の成形部分において使用される、調整可能な弾性ブレード装着体を提供することを目的とし、この弾性ブレード装着体は、
前面、後面、第一端部および第二端部を有する基盤部材と、
第一端部と第二端部を有し、該第一端部が前記基盤部材の前記第一端部に取り付けられている第一の可撓性部材と、
前記基盤部材の前記第二端部と前記第一の可撓性部材の前記第二端部との間に設けられた第一の可撓性ホース部材と、
第一端部と第二端部を有し、該第一端部は前記基盤部材の前記第一端部と向かい合い、該第二端部は、前記基盤部材の前記第二端と向かい合い且つ前記第一の可撓性部材の前記第二端部に取り付けられている第２の可撓性部材と、
前記第一の可撓性部材の前記第一端部と前記第二の可撓性部材の前記第一端部との間に設けられている第二の可撓性ホース部材と、
を備えることを特徴とする。
【手続補正３】
【補正対象書類名】明細書
【補正対象項目名】０００８
【補正方法】変更
【補正の内容】
【０００８】
この装着体は、さらに、第二の可撓性ホース部材に隣接して設けられ、第一および第二の可撓性部材の各第一端部の間に位置する第一の蓋を備えることが好ましい。また、該装着体は、さらに、第一の可撓性ホース部材に隣接して設けられ、基盤部材および第一の可撓性部材の各第二端部の間に位置する第二の蓋を備えることが好ましい。さらに好ましくは、該装着体は、第二の可撓性ホース部材に隣接して設けられ、第一と第二の可撓性部材の各第一端部の間に位置する第一の蓋と、第一の可撓性ホース部材に隣接して設けられ、基盤部材と第一の可撓性部材の各第二端部の間に位置する第二の蓋板を備える。
【手続補正４】
【補正対象書類名】明細書
【補正対象項目名】０００９
【補正方法】変更
【補正の内容】
【０００９】
また、第一の蓋は、第一の可撓性部材に取り付けられるか、または、その一部として製造されることが好ましい。あるいは、第一の蓋は、該基盤部材に取り付けられるか、またはその一部として製造されることが好ましい。
【手続補正５】
【補正対象書類名】明細書
【補正対象項目名】００１０
【補正方法】変更
【補正の内容】
【００１０】
また、第二の蓋は、第二の可撓性部材に取り付けられるか、またはその一部として製造されることが好ましい。
【手続補正６】
【補正対象書類名】明細書
【補正対象項目名】００１１
【補正方法】変更
【補正の内容】
【００１１】
さらに好ましくは、基盤部材、第一と第二の可撓性部材、および第一と第二の蓋は、一体的な構成として製造してもよい。
【手続補正７】
【補正対象書類名】明細書
【補正対象項目名】００２１
【補正方法】変更
【補正の内容】
【００２１】
まず図１を参照すると、調整可能な弾性装着体１は、基盤部材２を有し、これは従来の方法により、製紙機械の成形部分において排水箱（図示せず）に取り付けられる。基盤部材２は、第1端部２３側の前面２１と第２端部２６側の後面２２を有する。第一の可撓性部材３は、基盤部材２に取り付けられる。第一の可撓性部材３の第一端部３３は基盤部材２の第一端部２３に取り付けられる。これは基盤部材２の前端部２１に隣接している。第二の可撓性部材４は、その第二の端部４４を第一の可撓性部材３の第二端部３４に取り付けている。従って、基盤部材２と二つの可撓性部材３，４は、一体でおおよそＺ型の断面を成す。基盤部材２と第一の可撓性部材３の間には、第一の可撓性ホース５があり、第一の可撓性部材３と第二の可撓性部材４との間には、第二の可撓性ホース６がある。これらのホース５，６は、それぞれ従来の制御圧力源に取り付けられている。各ホースは、可撓性部材の各々を歪めるために十分に膨張できるような可撓性を有するよう構成されている。このような一般的なタイプのホースは周知であり既に使用されている。担体７と耐磨耗材８０を備えたブレード８は、第二の可撓性部材４の第一の端部４３に隣接させて取り付けられる。図示するように、担体７は、従来のアリ継ぎ９により、耐磨耗材８０を設けている。耐磨耗材８０は、通常、セラミックである。図示するように、耐磨耗材８０は、平坦な織布接面８１を有する。他の面の形状は、周知であり既に使用されているものである。
【手続補正８】
【補正対象書類名】図面
【補正対象項目名】図１
【補正方法】変更
【補正の内容】
【図１】
2004514805.tif 000001